(57)【特許請求の範囲】
【請求項１】
内外障子を窓枠内に開閉自在に装着させた引違い窓において外障子の召合せ框に取付けたクレセント受けに係合するクレセントを内障子の召合せ框に回動自在に設けるとともに、前記クレセントの回動操作による施錠及び開錠間の過程で、各召合せ框を窓枠面内方向に引分ける引分空間が形成される前記クレセントであって、
前記クレセントは、クレセント受けに係合する係合体と、回動軸を中心に前記係合体を回動させる回動ハンドルとからなり、前記係合体の略半円状の外周に沿って、始端から終端まで所定の角度に亘って設けられた係合溝を備え、該係合溝は前記クレセント受けのフック内を回動可能な回動面と、内外障子の各召合せ框を窓枠面内方向に引分けた場合に、フックの先端を受入れるフック受入凹部を備え、前記回動面は係合溝の始端から終端にかけて徐々に幅狭に形成されていることを特徴とする引違い窓の換気機構付き施錠装置。
【請求項２】
前記クレセントの回動操作による施錠及び開錠間の過程で、各召合せ框の引分け可能幅に対応する換気空間を示唆する換気位置示唆手段を設けたことを特徴とする請求項１に記載の引違い窓の換気機構付き施錠装置。
【請求項３】
前記換気位置示唆手段は、回動ハンドルの裏面に設けられた孔にセットされた付勢手段と、この付勢手段によって常時、クレセントの台座に向けて付勢されている摺動部材と、この摺動部材の一部が嵌合する嵌合孔を前記台座に設けてなることを特徴とする請求項２に記載の引違い窓の換気機構付き施錠装置。
【請求項４】
前記クレセントの回動操作を規制する回動規制手段を設けたことを特徴とする請求項１乃至請求項３の何れかに記載の引違い窓の換気機構付き施錠装置。
【請求項５】
前記回動規制手段は回動ハンドルの裏面に設けられた複数個の回動位置規制孔と、これらの回動位置規制孔に出没する施錠片を一端に備え、他端に湾曲部を備え、かつ両端のほぼ中央で軸着されているシーソーレバーと、該シーソーレバーの軸と前記湾曲部間に配置されて施錠状態を維持するように前記シーソーレバーを付勢する付勢手段と、前記付勢手段に抗して前記湾曲部を起こす昇降キーからなることを特徴とする請求項４に記載の引違い窓の換気機構付き施錠装置。
【請求項６】
前記クレセントのみの操作により、内障子または外障子の何れか一方の召合せ框を自動的に引分けたり、内外障子の各召合せ框を等分に引き分けることができる障子引分け機構を設けたことを特徴とする請求項１乃至請求項５の何れかに記載の引違い窓の換気機構付き施錠装置。
【請求項７】
前記障子引分け機構は、内外障子の何れか一方の竪框又は両竪框、或いは窓枠の何れか一方の竪枠又は左右両竪枠に埋め込まれる取付枠と、その取付枠内に収容されたラッチと、該ラッチを付勢する付勢手段からなっていることを特徴とする請求項６に記載の引違い窓の換気機構付き施錠装置。
【請求項８】
片引き窓の外障子の召合せ框にクレセント受けを、内障子の召合せ框にクレセントを回動自在に設けるとともに、前記クレセントの回動操作による施錠及び開錠間の過程で、何れかの召合せ框を窓枠面内方向に引分ける引分空間が形成される前記クレセントであって、
前記クレセントは、クレセント受けに係合する係合体と、回動軸を中心に前記係合体を回動させる回動ハンドルとからなり、前記係合体の略半円状の外周に沿って、始端から終端まで所定の角度に亘って設けられた係合溝を備え、該係合溝は前記クレセント受けのフック内を回動可能な回動面と、内外障子の各召合せ框を窓枠面内方向に引分けた場合に、フックの先端を受入れるフック受入凹部を備え、前記回動面は係合溝の始端から終端にかけて徐々に幅狭に形成されていることを特徴とする片引き窓の換気機構付き施錠装置。
【発明の詳細な説明】
【０００１】
【発明の属する技術分野】
本発明は引違い窓や片引き窓に取付けられる換気機構付き施錠装置に関する。
【０００２】
【従来の技術】
引違い窓を施錠状態にしたままで、換気を行うことができる従来技術として次の２つのタイプを代表例に挙げることができる。
第１のタイプは換気框タイプであり、これは内外障子の何れかの上框に複数の小さな換気口を設け、これらの換気口をスライド板によって開閉させる構造である。
第２のタイプは段階タイプであり、これは例えば、実開昭６３−１０２８７１号に記載されているように（図２０図（ａ）乃至（ｃ）参照）、クレセント受け１００として施錠用フック１０１の他、換気用のフック１０２，１０２を複数段設け、何れかのフックとクレセント１０３とを係合させて、窓枠と内外障子間の両サイドの開放幅を段階的に調整する構造である。
【０００３】
【発明が解決しようとする課題】
しかし、第１の換気框タイプは窓枠の上部を介してのみ換気を行うため、室内の空気の対流に対応することができずに、効率的な換気が困難であるという問題点がある他、第２タイプに比べて構造が複雑であってサッシ価格を上昇させる要因となっている。
【０００４】
一方、第２の段階タイプは安価ではあるものの、段階的に内外障子の開放量を調整するため住居者の意に沿う換気空間を得ることができなかったり、また図２０（ａ）に示すようにクレセント受け１００が水平方向に拡がってしまうため、見栄えも悪いという問題点があった。
この第２の段階タイプでは、その他各障子の「がたつき」が生じ易く、また換気空間となった内外障子の両サイドから虫が侵入したり、雨等が浸入してしまうという問題点もあった。
【０００５】
そこで本願発明は、まず換気空間の開放量を無段階的に調整できて、住居者の意に沿う開放量を得ることができ、クレセント受けが水平方向に拡がらずに見栄えも良く、しかも室内の空気の対流に対応させて窓の上下からの換気もでき、低価格化を図ることができる引違い窓等の換気機構付き施錠装置を提供すること、また換気状態のまま、クレセントの施錠を可能にして防犯対策に優れた引違い窓等の換気機構付き施錠装置を提供すること、さらに各障子の「がたつき」が生じ難い引違い窓の換気機構付き施錠装置を提供することを目的とする。
【０００６】
【課題を解決するための手段】
上記課題を解決するため、本願発明の引違い窓の換気機構付き施錠装置は請求項１に記載のように、内外障子を窓枠内に開閉自在に装着させた引違い窓において外障子の召合せ框に取付けたクレセント受けに係合するクレセントを内障子の召合せ框に回動自在に設けるとともに、前記クレセントの回動操作による施錠及び開錠間の過程で、各召合せ框を窓枠面内方向に引分ける引分空間が形成される前記クレセントであって、前記クレセントは、クレセント受けに係合する係合体と、回動軸を中心に前記係合体を回動させる回動ハンドルとからなり、前記係合体の略半円状の外周に沿って、始端から終端まで所定の角度に亘って設けられた係合溝を備え、該係合溝は前記クレセント受けのフック内を回動可能な回動面と、内外障子の各召合せ框を窓枠面内方向に引分けた場合に、フックの先端を受入れるフック受入凹部を備え、前記回動面は係合溝の始端から終端にかけて徐々に幅狭に形成されていることを特徴とする。
クレセントの回動操作による施錠及び開錠間の過程で、そのクレセントにより引分空間が作られるので、換気空間の開放量を無段階的に調整できて、住居者の意に沿う開放量を得ることができる。またクレセント受けを従来の様に複数段とする必要がないので、クレセント受けが水平方向に拡がらずに見栄えも良い。しかも室内の空気の対流に対応させて窓枠の上下からの換気もでき、またクレセントの改良のみで引違い窓の換気機構付き施錠装置を提供できるのでサッシの低価格化を図ることができる。
【０００７】
かかるクレセントによれば、係合溝はクレセントの施錠時に前記クレセント受けのフックと係合され、開錠時に前記フックの先端との係合から開放されるとともに、クレセントの回動操作による施錠及び開錠間の過程で、内外障子の各召合せ框を窓枠面内方向に引分ける引分空間を作ることができる。
【０００８】
上述のように、本願発明の引違い窓の換気機構付き施錠装置は、クレセントの回動操作により換気空間の開放量を無段階的に調整できるものの、請求項２に記載のように前記クレセントの回動操作による施錠及び開錠間の過程で、各召合せ框の引分け可能幅に対応する換気空間を示唆する換気位置示唆手段を設けることが望ましく、この換気位置示唆手段により好適な換気空間を住居者に報知することができる。
【０００９】
前記換気位置示唆手段は具体的には請求項３に記載のように、回動ハンドルの裏面に設けられた孔にセットされた付勢手段と、この付勢手段によって常時、クレセントの台座に向けて付勢されている摺動部材と、この摺動部材の一部が嵌合する嵌合孔を前記台座に設けてなる。かかる構成によれば、回動ハンドルを回動する際に前記摺動部材が前記嵌合孔にはまり込んだときの音と、回動の抵抗力が回動ハンドルを通じて操作者に伝わり、好適な換気空間を住居者に報知することができる。なお、上記構成とは逆に、前記台座側に付勢手段と摺動部材をセットする孔を設け、回動ハンドル側に嵌合孔を設けても良い。
【００１０】
本願発明の引違い窓の換気機構付き施錠装置に、請求項４のように前記クレセントの回動操作を規制する回動規制手段を設ければ換気状態のままクレセントの施錠を可能にして防犯対策に優れた引違い窓等の換気機構付き施錠装置となる。
【００１１】
前記回動規制手段の具体的構成は、請求項５に記載のように、回動ハンドルの裏面に設けられた複数個の回動位置規制孔と、これらの回動位置規制孔に出没する施錠片を一端に備え、他端に湾曲部を備え、かつ両端のほぼ中央で軸着されているシーソーレバーと、該シーソーレバーの軸と前記湾曲部間に配置されて施錠状態を維持するように前記シーソーレバーを付勢する付勢手段と、該付勢手段に抗して前記湾曲部を起こす昇降キーからなることを特徴とする。かかる構成によれば、前記回動位置規制孔を複数個所定の位置に設けることにより、所定の換気状態にて仮施錠されているクレセントを完全施錠にすることができて、防犯対策に優れた引違い窓等の換気機構付き施錠装置となる。
【００１２】
上記各構成の引違い窓の換気機構付き施錠装置では施錠状態から換気状態に移行しても自動的に各召合せ框が引分かれるものではなく、居住者が内外障子の各召合せ框を引分けなければならない。そこで請求項６に記載のように、クレセントのみの操作により、内障子または外障子の何れか一方の召合せ框を自動的に引分けたり、内外障子の各召合せ框を等分に引き分けることができる障子引分け機構を設けてもよい。この障子引分け機構によれば、自動的に内外障子の各召合せ框等を引分けることができるばかりでなく、窓枠と内外障子の竪框との換気空間を両サイドで略等しくすることもでき、さらに内外障子の「がたつき」を防止することができる。
【００１３】
前記障子引分け機構の具体的構成は、請求項７に記載のように、内外障子の何れか一方の竪框又は両竪框、或いは窓枠の何れか一方の竪枠又は左右両竪枠に埋め込まれる取付枠と、その取付枠内に収容されたラッチと、該ラッチを付勢する付勢手段からなっていることを特徴とする。かかる構成の障子引分け機構が例えば内外障子の両竪框にそれぞれ取付けられている場合、クレセント受けのフックとクレセントの回動面間には引分空間が形成され、と同時に前記ラッチが付勢手段に付勢されて、窓枠の各竪枠を押すことにより、各召合せ框を等分に引分ける様に作用し、自動的に換気空間を作る。従って自動的に内外障子の各召合せ框等を引分けることができるばかりでなく、窓枠と内外障子の竪框との換気空間が両サイドで略等しくなり、さらに内外障子の「がたつき」を防止することができる。
【００１４】
請求項８に記載のように、片引きサッシ窓の外障子の召合せ框にクレセント受けを、内障子の召合せ框にクレセントを回動自在に設けるとともに、前記クレセントの回動操作による施錠及び開錠間の過程で、何れかの召合せ框を窓枠面内方向に引分ける引分空間が形成される前記クレセントであって、前記クレセントは、クレセント受けに係合する係合体と、回動軸を中心に前記係合体を回動させる回動ハンドルとからなり、前記係合体の略半円状の外周に沿って、始端から終端まで所定の角度に亘って設けられた係合溝を備え、該係合溝は前記クレセント受けのフック内を回動可能な回動面と、内外障子の各召合せ框を窓枠面内方向に引分けた場合に、フックの先端を受入れるフック受入凹部を備え、前記回動面は係合溝の始端から終端にかけて徐々に幅狭に形成されていることを特徴とする片引き窓の換気機構付き施錠装置としてよい。片引き窓の場合、通常は外障子が嵌殺しとなっているので、内障子の召合せ框が引分かれることになり、内障子と窓枠間に換気空間が形成される。なお、この片引き窓の換気機構付き施錠装置に上記換気位置示唆手段、回動規制手段、障子引分け機構を設けてもよい。
【００１５】
【発明の実施の形態】
次に、図面に基づいて上記各発明のそれぞれの実施の形態を説明する。
まず請求項１及び請求項２に対応する実施の形態に係るクレセントを図１乃至図３に基づいて説明する。
図１はクレセントの正面図、図２は図１に示したＡ−Ａ´線矢視のクレセント断面図、図３は図１に示したＢ−Ｂ´線矢視のクレセント部分断面図である。なお図２の断面図では後に詳述するクレセント内部構造を省略している。
【００１６】
実施形態に係るクレセント１は、図１に示すように引違い窓の外障子２の召合せ框２０に固定されたクレセント受け４に係合する係合体１０と、回動軸１２を中心に前記係合体１０を回動させる回動ハンドル１３からなり、このクレセント１の特徴は係合溝１４を前記係合体１０に設けている点である。
【００１７】
前記係合溝１４は、クレセント１の施錠時に前記クレセント受け４のフック４１と係合され、開錠時に前記フック４１との係合から開放されるとともに、クレセント１の回動操作による施錠及び開錠間の過程で、内外障子２，３の各召合せ框２０，３０を窓枠面内方向Ｙに引分ける引分空間を作るものである。
即ち、係合溝１４は略半円状の係合体１０の外周１１に沿って、始端Ｓ１（Ｂ矢視の箇所）から終端Ｓ２（Ｂ´矢視の箇所）まで約１３０度に亘って設けられた溝であって、前記フック４１のコ字状部４３内を回動可能な或いは摺動可能な側面（回動面１４０、以下摺動面ともいう）と、内外障子２，３の各召合せ框２０，３０を窓枠面内方向Ｙにスライドさせた場合に、フック４１の先端４２を受入れるフック受入凹部１４１を備えている。
【００１８】
前記摺動面１４０は図３に示すように係合溝１４の始端Ｓ１で最大幅となり、終端Ｓ２に向かうに従い徐々に幅狭となり、終端Ｓ２で最小幅となっている。而して最大幅と最小幅の「差」が、クレセント１の回動操作により摺動面１４０を前記フック４１のコ字状部４３から徐々に離脱させることになり、各召合せ框２０，３０を窓枠面内方向Ｙに引分けることができる引分空間を作り、ひいては各障子２，３と窓枠間に換気空間を作ることになる。
【００１９】
前記受入凹部１４１は、各召合せ框２０，３０を窓枠面内方向Ｙに引分けた際に外障子２の召合せ框２０に固定されたクレセント受け４のフック先端４２を受入れることができる深さ及び幅に成形されていて、前記引分空間がクレセント受け４に影響されないようになっている。
【００２０】
上記のように構成されたクレセント１は、回動ハンドル１３が召合せ框３０と略平行に起立した状態で完全施錠状態となり、図１の図面上時計回りに回動した回動ハンドル１３が召合せ框３０と略直交する状態で開錠状態となり、その間が仮施錠状態及び換気状態となるように係合体１０、回動軸１２及び回動ハンドル１３が一体的に成形されている。
なお、係合体１０と回動ハンドル１３とは一体的に成形し、その係合体１０と回動軸１２とを別体として両者を軸着してもよい。
【００２１】
次に上記クレセント１の動作を図４乃至図９に基づいて詳細に説明する。
図４は完全施錠状態のクレセント斜視図、図５は同状態でのクレセントとクレセント受けの係合状態を示す要部断面図、図６は同状態での引違い窓の概略断面図である。また図７は換気状態のクレセント斜視図、図８は同状態でのクレセントとクレセント受けの係合状態を示す要部断面図、図９は同状態での引違い窓の概略断面図である。
【００２２】
図４に示す完全施錠状態では、図５に示すようにクレセント受け４のフック４１と係合体１０の摺動面１４０とが緊密に係合し、また図６に示すように内外障子２，３の各竪框２１，３１も窓枠に密接している。
この完全施錠状態から回動ハンドル１３を図７で示す矢印方向に操作するに従い、各召合せ框２０，３０が矢印Ｘ方向に引離され、さらに前記回動ハンドル１３を約６０度回動させた時点で、図８の実線で示したクレセント受け４のフック４１とクレセント１の摺動面１４０間には引分空間Ｖ（例えば５〜７ｍｍ）が形成されることになる。
そこで操作者が内外障子２，３の各召合せ框２０，３０を、例えば略等分に図８の窓枠面内方向Ｙ，Ｙに引分けると、クレセント受け４のフック先端４２がクレセント１の係合溝１４の受入凹部１４１に入込み（２点鎖線で現したクレセント受け４）、かつ再びクレセント受け４のフック４１と係合体１０の摺動面１４０とが係合して仮施錠状態となる。
その結果、図９に示すように各障子２，３と窓枠間に換気空間Ｖ１，Ｖ２（例えばそれぞれ５〜７ｍｍ）が形成され、換気状態となる。
【００２３】
この換気状態から施錠する場合に回動ハンドル１３を反時計回りに操作すると前記クレセント１の摺動面１４０とクレセント受け４のフック４１とにより徐々に各召合せ框２０，３０の引戻し（図７のＺ，Ｚ方向）及び引寄せ（図７のＸ方向）が行われ、ハンドル操作のみで施錠することができる。
【００２４】
従ってこの実施形態に係る引違い窓の換気機構付き施錠装置では、引違い窓を施錠状態にしたままで、内外障子２，３の換気空間を無段階的に調整できて、住居者の意に沿う開放量を得ることができる。
また、クレセント受け４が水平方向に拡がらずに室内側からの見栄えも良い。さらに各障子２，３と窓枠間に換気空間が形成されるので、室内の空気の対流に対応させて窓枠の上下からの換気もでき、しかもクレセントのみ改良によりサッシの低価格化を図ることができる。
【００２５】
なお、上記クレセント１の係合溝１４は始端Ｓ１から終端Ｓ２まで約１３０度に亘って設けられているが、図１０に示すようにその係合溝１４を角度α分、例えば１５〜３０度程度延ばしてクレセント１Ａを構成してもよい。
これは前記係合溝１４の始端Ｓ１最大幅と終端Ｓ２最小幅を上記クレセント１と同一にしつつ、摺動面１４０の摺動距離を長くすることにより、クレセント１Ａの回動操作をスムーズに行うための構成である。また係合溝１４の始端Ｓ１最大幅と終端Ｓ２最小幅の「差」を上記クレセント１より大きくして引分空間をより広くすることができる構成でもある。
【００２６】
次に、請求項３及び請求項４に対応する換気位置示唆手段の実施の形態及び請求項５及び請求項６に対応する回動規制手段の実施の形態を図１１乃至図１３に基づいて説明する。
図１１は図１に示したクレセント１のＣ−Ｃ´線矢視断面図、図１２は完全施錠状態のクレセント１の内部構造を示すクレセント背面図、図１３（ａ）は開錠状態のクレセント１の内部構造を示すクレセント背面図である。
【００２７】
換気位置示唆手段６は換気状態を無段階的に調整できる前記クレセント１に対し、好適な換気空間を示唆するもので、図１１に示すように回動ハンドル１３の裏面１３０に設けられた孔６０にセットされた付勢手段としてのスプリング６１と、このスプリング６１によって常時、台座５の凸状頂面５０に向けて付勢されている剛球６２と、この剛球６２の一部が嵌合する嵌合孔５１を前記凸状頂面５０に設けてなる。
この嵌合孔５１は、例えば前記回動ハンドル１３が起立位置から約３０度回動された位置（第１の換気状態）と、さらに約３０度回動された位置（第２の換気状態）に対応できるように前記凸状頂面５０に設けられている。
かかる換気位置示唆手段６では、回動ハンドル１３を回動する際に前記剛球６２が前記嵌合孔５１にはまり込んだときの「カチッ」という音と、回動の抵抗力が回動ハンドル１３を通じて操作者に伝わるようになっている。
【００２８】
前記嵌合孔５１の位置や数は上記実施の形態に限定されるものではなく、前記クレセント１の換気状態において任意に設定することができる。
また上記実施の形態とは逆に、前記台座５の凸状頂面５０にスプリングと剛球をセットする孔を設け、ハンドル側に嵌合孔を設けても良い。
また、スプリング及び剛球の代わりに板バネ等を用いても良い。
【００２９】
前記回動規制手段７は所定の換気状態でクレセント１の回動を規制し、防犯対策ともするもので、図１２及び図１３（ａ）のように、上下方向にスライドするスイッチ７０と、このスイッチ７０に連動する係止板７１と、回動軸１２に一体的に固着されている回転板７４とから構成され、この回転板７４には前記係止板７１に規制される係止凸部７５が設けられている。
【００３０】
そして、施錠時には前記スイッチ７０の裏面に設けられた嵌合凸部７２が、前記台座５の内部側面に設けられた嵌合凹部７３に嵌合しており、同時に前記係止板７１が前記係止凸部７５を規制し、ダブルロック状態にしている。
スイッチ７０を上方にスライドさせると、そのスライドに連動して前記係止板７１が回転板７４の係止凸部７５を開放し回動ハンドル１３を操作できるようにしている。
図１２に示した回動規制手段７は、施錠を確実にするダブルロック機構として構成されているが、例えば図１３（ｂ）のように、前記第１の換気状態と前記第２の換気状態に対応する回転板７４の回転位置にそれぞれ前記係止凸部７５，７５，７５を設けるようにして、各換気状態でもクレセント１の回動を規制できるようにすれば、防犯上有効である。
【００３１】
なお、図１１等に示すように、前記回動軸１２の先端部に回動ハンドル１３の操作をスムーズに行わせる回動円滑手段８が設けられている。
該回動円滑手段８は、一端が前記回動板７４の周縁に他端が台座５側に固定された圧縮スプリング８０により構成されていて、施錠状態から開錠状態に移行する際に、前記圧縮スプリング８０が回動力に適度の対抗力を付与するようになっている。
以上のような内部構成を備えたクレセント１は、ネジを介して前記内障子３の召合せ框３０に固定されている。
【００３２】
次に、前記回動規制手段７の別構成の実施の形態を図１４及び図１５に基づいて説明する。
この回動規制手段７Ａは、前記回動規制手段７と同様に施錠の完全化を図るとともに、所定の換気状態にて仮施錠されているクレセント１を完全施錠とするものであり、上記回動規制手段７とは異なりクレセント１の回動軸１２と別体に構成されている。
その具体的構成は、回動ハンドル１３の裏面に設けられた回動位置規制孔１３１と、この回動位置規制孔１３１に出没する施錠片７６ａを一端に備え、他端に湾曲部７６ｂを備え、かつ両端のほぼ中央で軸着されているシーソーレバー７６と、軸と前記湾曲部７６ｂ間に配置されて施錠状態を維持するように前記シーソーレバー７６を付勢する付勢手段としてのスプリング７８と、上方に移動することによりその先端が前記スプリング７８に抗して前記湾曲部７６ｂを起こす昇降キー７７からなっている。なお、前記付勢手段は前記シーソーレバー７６を付勢できるものであればいずれでもよく、例えば板バネ等でよい。
【００３３】
かかる構成の回動規制手段７Ａにおいて、前記回動位置規制孔１３１を第１の換気状態と第２の換気状態にそれぞれ対応し得る位置に設けることにより、所定の換気状態にて仮施錠されているクレセント１を完全施錠にすることができる。なお、図１５に示すように前記スプリング７８と前記湾曲部７６ｂの構成を前記回動規制手段７Ａに対し対称的な構成とし、前記換気位置示唆手段６と併存させてもよい。
このようにすれば前記剛球６２が前記嵌合孔５１にはまり込むことにより回動の抵抗力が回動ハンドル１３を通じて操作者に伝わった時点で、前記キー７７を操作して施錠することができる。
【００３４】
次に図１６〜図１８に基づいて請求項７及び請求項８に対応する障子引分け機構の実施形態を説明する。
上述のように、上記構成の換気機構付きクレセント１では、施錠状態から換気状態に移行しても自動的に各召合せ框２０，３０が引分かれるものではなく、操作者が内外障子２，３の各召合せ框２０，３０を引分けなければならない。
そこで換気機構付きクレセントのみの操作により、内外障子２，３を自動的に引分けることができる障子引分け機構９を設けたもので、かかる機構は図１６に示すように内外障子２，３の各竪框２１，３１に埋め込まれた取付枠９０と、その取付枠９０内に収容されたラッチ９１と、該ラッチ９１内の収容孔９２に収容され、その一端が前記取付枠９０に固定され、他端が収容孔９２に当接或いは固定されてラッチ９１を付勢する付勢手段としてのスプリング９３を備えている。
【００３５】
かかる構成の障子引分け機構９は、ラッチ９１を窓枠に対向させるように図１７に示す位置にて各竪框２１，３１にそれぞれ３カ所取付けられていて、次のように作用する。
即ち、図１８に示すようにクレセント１の施錠状態時には２点鎖線で示す位置に竪框２１，３１が位置し、前記ラッチ９１は窓枠の竪枠に設けられたヒレ９６によって前記取付枠９０内に納められている。
この状態でクレセント１を換気状態にすると、上述のようにクレセント受け４のフック４１とクレセント１の摺動面１４０間には引分空間が形成され、と同時に前記ラッチ９１がスプリング９３に付勢されて前記ヒレ９６を押して内外障子２，３を等分に引分ける様に作用し、自動的に換気空間を作る。
従って、自動的に内外障子２，３を引分けることができるばかりでなく、窓枠と内外障子２，３の竪框２１，３１との換気空間が両サイドで略等しくなり、さらに内外障子２，３の「がたつき」を防止することができる。
【００３６】
上記障子引分け機構９は、内外障子２，３の竪框２１，３１に設けられているが、窓枠に設けてもよいし、また両サイドではなく、いずれか一方の側に設けてもよい。
また、付勢手段としては、上記スプリングの他、板バネ、ゴムでもよい。
【００３７】
上記各引違い窓の換気機構付き施錠装置において、図１９に示すように窓枠の左右竪枠を構成する各ヒレの内、室外最外郭のヒレ９４，９４と室内最外郭のヒレ９５，９５を、換気状態時の各竪框２１，３１の一部で重複する程度に延在させるようにしてもよい。
これは、換気状態時に雨が降っても雨水が室内に浸入することを防ぐための構成で、かかる構成では空気は図１９に示す矢印のような空気流通経路を流れる。
【００３８】
また、上記構成では室外側からの視線が前記ヒレ９４，９５により遮断されるので、プライバシーの保護を図ることができ、また換気空間に「手」を入れることができないので防犯対策も万全になる。
【００３９】
さらに、換気空間から虫等が室内に侵入ことを防止するため、前記空気流通経路のいずれかに毛足が長いモヘヤ９７等を設けてもよい。
【００４０】
なお、上記各実施形態では引違い窓に前記クレセント１を取り付けているが、外障子が嵌殺しの片引き窓に前記クレセント１を取り付けてもよい。
その際に上記換気位置示唆手段６や回動規制手段７、障子引きけ機構９などを装着するようにしてもよい。
【００４１】
【発明の効果】
請求項１に記載の引違い窓の換気機構付き施錠装置によれば、クレセントの回動操作による施錠及び開錠間の過程で、そのクレセントにより引分空間が作られるので、換気空間の開放量を無段階的に調整できて、住居者の意に沿う開放量を得ることができる。またクレセント受けを従来の様に複数段とする必要がないので、クレセント受けが水平方向に拡がらずに見栄えも良い。
しかも室内の空気の対流に対応させて窓枠の上下からの換気もでき、またクレセントの改良のみで引違い窓の換気機構付き施錠装置を提供できるのでサッシの低価格化を図ることができる。
【００４２】
係合溝はクレセントの施錠時に前記クレセント受けのフックと係合され、開錠時に前記フックの先端との係合から開放されるとともに、クレセントの回動操作による施錠及び開錠間の過程で、内外障子の各召合せ框を窓枠面内方向に引分ける引分空間を作ることができる。
【００４３】
請求項２に記載の引違い窓の換気機構付き施錠装置によれば、好適な換気空間を住居者に報知することができる。
【００４４】
請求項３に記載の換気位置示唆手段によれば、回動ハンドルを回動する際に前記摺動部材が前記嵌合孔にはまり込んだときの音と、回動の抵抗力が回動ハンドルを通じて操作者に伝わり、好適な換気空間を住居者に報知することができる引違い窓の換気機構付き施錠装置となる。
【００４５】
請求項４に記載の引違い窓の換気機構付き施錠装置のように、前記クレセントの回動操作を規制する回動規制手段を設ければ、換気状態のままクレセントの施錠を可能にして防犯対策に優れた引違い窓等の換気機構付き施錠装置となる。
【００４６】
請求項５に記載の回動規制手段によれば、前記回動位置規制孔を複数個所定の位置に設けることにより、所定の換気状態にて仮施錠されているクレセントを完全施錠にすることができて、防犯対策に優れた引違い窓等の換気機構付き施錠装置となる。
【００４７】
請求項６に記載の引違い窓の換気機構付き施錠装置によれば、自動的に内外障子の各召合せ框等を引分けることができるばかりでなく、窓枠と内外障子の竪框との換気空間が両サイドで略等しくなり、さらに内外障子の「がたつき」を防止することができる。
【００４８】
請求項７に記載の障子引分け機構によれば、この障子引分け機構が例えば内外障子側に取付けられてる場合、クレセント受けのフックとクレセントの摺動面間には引分空間が形成され、と同時に前記ラッチが付勢手段に付勢されて、内外障子を引分ける様に作用し、自動的に換気空間を作る。従って自動的に内外障子の各召合せ框等を引分けることができるばかりでなく、窓枠と内外障子の竪框との換気空間が両サイドで略等しくなり、さらに内外障子の「がたつき」を防止することができる。
【００４９】
請求項８に記載の発明によれば、片引き窓の場合、通常は外障子が嵌殺しとなっているので、内障子の召合せ框が引分かれることになり、内障子と窓枠間に換気空間が形成される。
【図面の簡単な説明】
【図１】請求項１に対応する実施形態に係るクレセントの正面図、
【図２】図１に示したＡ−Ａ´線矢視のクレセント断面図、
【図３】図１に示したＢ−Ｂ´線矢視のクレセント部分断面図、
【図４】完全施錠時のクレセント斜視図、
【図５】図４に示した状態でのクレセントとクレセント受けの係合状態を示す要部断面図、
【図６】図４に示した状態での引違い窓の概略断面図、
【図７】換気操作時のクレセント斜視図、
【図８】図７に示した状態でのクレセントとクレセント受けの係合状態を示す要部断面図、
【図９】図７に示した状態での引違い窓の概略断面図、
【図１０】クレセントの別構成を示すその正面図、
【図１１】図１に示したクレセントのＣ−Ｃ´線矢視断面図、
【図１２】クレセントの内部構造を示すクレセントの背面図、
【図１３】（ａ）はクレセントの内部構造を示すクレセントの背面図、（ｂ）は別構成の回転板の裏面図、
【図１４】回動規制手段の別構成の実施の形態を示すクレセントの縦断面図、
【図１５】さらに回動規制手段の別構成を示すその概略図、
【図１６】障子引分け機構の断面図、
【図１７】障子引分け機構を取り付けた窓枠の正面図、
【図１８】障子引分け機構の作用を説明するための竪框横断面図、
【図１９】雨対策などを施した引違い窓の断面図、
【図２０】（ａ）は従来技術のクレセント受けの斜視図、（ｂ）は同クレセントの斜視図、（ｃ）は同クレセント受けとクレセントの係合状態を示す引違い窓の要部断面図である。
【符号の説明】
１  クレセント                      １０  係合体
１１  外周                          １２  回動軸
１３  回動ハンドル                  １３０  裏面
１３１  回動位置規制孔
１４  係合溝                        １４０  摺動面
１４１  受入凹部
２  外障子                          ２０  召合い框
２１  竪框
３  内障子                          ３０  召合い框
３１  竪框
４  クレセント受け                  ４１  フック
４２  フック先端                    ４３  コ字状部
５  台座                            ５０  凸状頂面
５１  嵌合孔
６  換気位置示唆手段                ６０  孔
６１  スプリング                    ６２  剛球
７  ７Ａ  回動規制手段              ７０  スイッチ
７１  係止板                        ７２  嵌合凸部
７３  嵌合凹部                      ７４  回転板
７５  係止凸部
７６  シーソーレバー                ７６ａ  施錠片
７６ｂ  湾曲部                       ７７  昇降キー
７８  スプリング
８  回動円滑手段                      ８０  圧縮スプリング
９  障子引分け機構
９０  取付枠                          ９１  ラッチ
９２  収容孔                          ９３  スプリング
９４，９５  ９６  ヒレ                ９７  モヘヤ。
【図１】
0003777431.tif 000002
【図２】
0003777431.tif 000003
【図３】
0003777431.tif 000004
【図４】
0003777431.tif 000005
【図５】
0003777431.tif 000006
【図６】
0003777431.tif 000007
【図７】
0003777431.tif 000008
【図８】
0003777431.tif 000009
【図９】
0003777431.tif 000010
【図１０】
0003777431.tif 000011
【図１１】
0003777431.tif 000012
【図１２】
0003777431.tif 000013
【図１３】
0003777431.tif 000014
【図１４】
0003777431.tif 000015
【図１５】
0003777431.tif 000016
【図１６】
0003777431.tif 000017
【図１７】
0003777431.tif 000018
【図１８】
0003777431.tif 000019
【図１９】
0003777431.tif 000020
【図２０】
0003777431.tif 000021